(57)【要約】【課題】  原稿サイズに依らず、原稿読取前と原稿読取後で原稿の端部の揃い方が変わらない画像読取装置を提供する。【解決手段】  原稿の搬送方向の長さ（例えば、ラージサイズ・スモールサイズ）を判断し、その判断結果に応じて排紙ローラユニットを動かすことによって、スモールサイズ原稿とラージサイズ原稿の先端を揃えて排紙することによって操作性を改善した。【選択図】    図１３
2005324949.tif 000002
【特許請求の範囲】
【請求項１】
原稿の搬送方向の長さを検出する手段を有し、
原稿読取後、原稿を原稿搬送路外へ送出するための排紙ローラを原稿搬送方向に間隔をあけて少なくとも二つ備え、
前記排紙ローラのうちの少なくともひとつは、原稿搬送方向に対して移動可能で、
前記原稿の搬送方向の長さを検出する検出手段の結果に基づき、前記移動可能な排紙ローラの位置を変更する制御手段を有することを特徴とする原稿自動給紙装置。
【請求項２】
請求項１に記載の原稿自動給紙装置であって、
前記排紙ローラのうち固定された排紙ローラの紙搬送速度と、前記移動可能な排紙ローラが移動中の原稿自動給紙装置の静止部に対する相対紙搬送速度とが等しいことを特徴とする請求項１に記載の原稿自動給紙装置。
【請求項３】
請求項１又は２に記載の原稿自動給紙装置であって、
前記移動可能な排紙ローラは、原稿を駆動している最中に所定の位置への移動を完了することを特徴とする請求項１又は２に記載の原稿自動給紙装置。
【請求項４】
原稿の搬送方向の長さを検出する手段を有し、
原稿読取後、原稿を原稿搬送路外へ送出するための排紙ローラを原稿搬送方向に間隔をあけて少なくとも二つ備え、
前記排紙ローラ間に紙搬送路を切り替える少なくとも一つの切り替え手段を有し、
前記原稿の搬送方向の長さを検出する検出手段の結果に基づき、前記紙搬送路を切り替える制御手段を有することを特徴とする原稿自動給紙装置。
【発明の詳細な説明】
【技術分野】
【０００１】
本発明は画像読取装置に原稿を自動的に供給する原稿自動供給装置に関する。
【背景技術】
【０００２】
複写機等に使われている画像読取装置は、読み取る原稿と画像読取装置の読取部を相対的に動かすことによって画像を読取っている。というのは、高解像度読み取り、および装置の小型化のために一次元センサを採用しているからである。
【０００３】
画像読取装置の読み取り部を動かして画像を読む方式について、図１を参照しながら概略を説明する。読み取りの対象となる原稿５０１は画像読取装置上に置かれ、照明ランプ５０９を点灯し、一次元読み取り素子（以下、ＣＣＤセンサ）５０６で主走査方向５０８の画像を読取りながら、第１ミラーユニット５０４を搬送方向５０７に画像の先端（図１（ａ））から後端（図１（ｂ））に向かって走査することによって画像全体像を読み取る。このとき、第２ミラーユニット５０３は、原稿からＣＣＤセンサ５０６までの距離を一定に保つために第１ミラーユニット５０４の移動量の１／２だけ動くように制御されている。
【０００４】
原稿を複数枚読取るときには原稿を１枚１枚交換する代わりに原稿を自動的に画像読取装置上に供給する原稿自動給紙装置（以下、ＡＤＦ）がある。図２に基づき、簡単に説明する。原稿自動給紙装置（５０５）に載置された原稿５０１は（図２ａ）原稿自動給紙装置によって画像読取装置上に導かれ（図２ｂ）、画像読取装置が原稿を読取った後（図２ｃ）、次の原稿と交換し、複数の原稿を連続的に読取るものである。
【０００５】
以上は、画像読取装置の読み取り部を動かして原稿の全体像を読み取る方式であるが、画像読取装置の読取部を静止させておいて、原稿を動かしながら全体像を読取る方式もある。原稿を動かすためにＡＤＦが用いられている。概略を図３を用いながら説明する。原稿自動給紙装置に原稿５０１が載置され（図３ａ）、画像読み取りが開始されると、画像読取装置は所定の位置に移動して静止し（図３ｂ）、原稿を搬送させながら画像の全体像を読取る（図３ｃ）。
【０００６】
現在は、単位時間あたりの原稿読み取り枚数を増大させるため、また、画像読み取り後の原稿を排紙する空間を削減するために、画像読み取り装置の読み取り部を静止させておいて、原稿を動かしながら像を読取る方式（以下、「流し読み方式」と称することとする）が多いようである。
【特許文献１】特開２００３−２７０７３４号公報
【発明の開示】
【発明が解決しようとする課題】
【０００７】
上述した「流し読み方式」を採る画像読取装置に使われるＡＤＦの動作を図４を参照しながら詳しく説明する。各部の符号は図５にまとめて記載した。なお、前記図面において画像読取装置は説明に関係が無いので省略する。
【０００８】
原稿載置トレイ１０１に載置された原稿５０１は、ピックアップ分離ローラ１０３によって原稿束が一枚一枚に分離される（図４ａ）。分離された原稿は、原稿が分離されたことを知ることができる分離後センサ１０４を通過し、原稿搬送ローラ１０５、１０６によって搬送される（図４ｂ）。原稿を読取る箇所１０８の直前には、原稿が読取り箇所直前にあることを知ることができる読取前センサ１０７があり、ここで原稿を感知して、原稿が原稿読取箇所１０８を通過するタイミングにあわせて未図示の画像読取装置が読み取りを開始する（図４ｃ）。原稿は引き続いて搬送ローラ１０９、排紙ローラ１１１によって排紙トレイ上１１２に排紙される（図４ｄ）。
【０００９】
上述したようなＡＤＦは、その構造ゆえ、読み取りが終わって排紙トレイ上１１２に排紙された原稿は、原稿載置トレイに載置した原稿の、原稿搬送方向に対する後ろ側が揃えられる。そのため、原稿搬送方向に長さが短い原稿は、排紙された原稿束は奥まったところにあり、オペレータが原稿束を取り出しにくい（図６）。それに対して原稿搬送方向に長さの長い原稿は、排紙された原稿束がオペレータが原稿を取り出し易いところにあり（図７）、原稿の搬送方向の長さによって、排紙された原稿束の取り扱いが異なる。
【００１０】
また、原稿サイズが複数含まれる原稿束を読み取る場合、読取前の原稿束は、原稿搬送方向に対して先端側がそろえられているのに対し、読取後の原稿束は、原稿搬送方向に対して後端側が揃えられている（図８）。オペレータは、排紙された原稿束を手にした後、原稿読取前のように揃えなおさなければならないという難点がある。
【００１１】
本発明は、以上の点に着目して成されたもので、原稿サイズに依らず、原稿読取前と原稿読取後で原稿の端部の揃い方が変わらない原稿自動給紙装置を提供することを目的とする。
【課題を解決するための手段】
【００１２】
上記問題点を解決するために、本発明の原稿自動給紙装置においては、
原稿の搬送方向の長さを検出する手段を有し、
原稿読取後、原稿を原稿搬送路外へ送出するための排紙ローラを原稿搬送方向に間隔をあけて少なくとも二つ備え、
前記排紙ローラのうちのひとつは、原稿搬送方向に対して移動可能で、
前記原稿の搬送方向の長さを検出する検出手段の結果に基づき、前記移動可能な排紙ローラの位置を変更する制御手段を有することを特徴としている。
【００１３】
また、原稿の搬送方向の長さを検出する手段を有し、
原稿読取後、原稿を原稿搬送路外へ送出するための排紙ローラを原稿搬送方向に間隔をあけて少なくとも二つ備え、
前記排紙ローラ間に紙搬送路を切り替える少なくとも一つの切り替え手段を有し、
前記原稿の搬送方向の長さを検出する検出手段の結果に基づき、前記紙搬送路を切り替える制御手段を有することを特徴としている。
【００１４】
この方法によると、原稿の搬送方向のサイズ別に排紙する箇所を変更することによって、オペレータが排紙された原稿束へのアクセスが原稿の搬送方向のサイズに依らなく、また、複数の原稿サイズを読み取ったときも、原稿読取前と原稿読取後で原稿の端部の揃い方が変わらないようになり、オペレータの排紙された原稿束への取り扱いが改善される。
【００１５】
なお、さらに詳細に説明すれば、本発明は下記の構成によって前記課題を解決できた。
【００１６】
（１）原稿の搬送方向の長さを検出する手段を有し、原稿読取後、原稿を原稿搬送路外へ送出するための排紙ローラを原稿搬送方向に間隔をあけて少なくとも二つ備え、前記排紙ローラのうちの少なくともひとつは、原稿搬送方向に対して移動可能で、前記原稿の搬送方向の長さを検出する検出手段の結果に基づき、前記移動可能な排紙ローラの位置を変更する制御手段を有することを特徴とする原稿自動給紙装置。
【００１７】
（２）前記（１）に記載の原稿自動給紙装置であって、前記排紙ローラのうち固定された排紙ローラの紙搬送速度と、前記移動可能な排紙ローラが移動中の原稿自動給紙装置の静止部に対する相対紙搬送速度とが等しいことを特徴とする前記（１）に記載の原稿自動給紙装置。
【００１８】
（３）前記（１）又は（２）に記載の原稿自動給紙装置であって、前記移動可能な排紙ローラは、原稿を駆動している最中に所定の位置への移動を完了することを特徴とする前記（１）又は（２）に記載の原稿自動給紙装置。
【００１９】
（４）原稿の搬送方向の長さを検出する手段を有し、原稿読取後、原稿を原稿搬送路外へ送出するための排紙ローラを原稿搬送方向に間隔をあけて少なくとも二つ備え、前記排紙ローラ間に紙搬送路を切り替える少なくとも一つの切り替え手段を有し、前記原稿の搬送方向の長さを検出する検出手段の結果に基づき、前記紙搬送路を切り替える制御手段を有することを特徴とする原稿自動給紙装置。
【発明の効果】
【００２０】
本発明によれば，原稿の搬送方向のサイズ別に排紙する箇所を変更することによって、オペレータが排紙された原稿束へのアクセスが原稿の搬送方向のサイズに依らなく、また、複数の原稿サイズを読み取ったときも、原稿読取前と原稿読取後で原稿の端部の揃い方が変わらないようになり、オペレータの排紙された原稿束への取り扱いが改善された。
【発明を実施するための最良の形態】
【００２１】
以下に図面を参照して、この発明の好適な形態を例示的に詳しく説明する。ただし、この実施の形態に記載されている構成部品の寸法、材質、形状、その相対配置などは特に特定的な記載がない限りは、この発明の範囲をそれらのみに限定するものではない。
【実施例】
【００２２】
図９〜１３は本発明の実施例を示した図である。読取原稿の搬送方向の長さや、原稿や装置の状態が違うだけで、ＡＤＦ自体の構造は同じものである。前述したＡＤＦの固定された第一排紙ローラ１１１に対して、原稿搬送方向に動くことができて、かつ、原稿を搬送可能な第二排紙ローラ７０１が新たに追加されている。
【００２３】
例えばＡ３サイズやレジャーサイズのように原稿の搬送方向の長さが長い原稿を読み取るときの装置の状態を示した図が図９である。以下、原稿の動きとともに装置の動作を説明するが、前述の図と重複する場合にはそちらを参照することとする。
【００２４】
原稿載置トレイ１０１に載置された原稿５０１は、分離ピックアップ部１０３によって原稿束の一番上の一枚を原稿搬送路内に導く（図４ａ）。分離後センサ１０４は原稿の先端を感知し、原稿の搬送がすすみ、分離後センサが原稿の後端を感知することによって原稿の搬送方向の長さを知ることができる。本例では分離後センサを用いたが、読取前センサ１０７のような同種の別の位置に設置されているセンサを用いても良いし、搬送モータの回転から換算しても良く、本例に限ったものではない。原稿の搬送方向のサイズが長いと検知すると、図示しない排紙ローラ位置制御装置によって第二排紙ローラ７０１が原稿搬送方向に対して上流側に動く。読み取りが終了した原稿は、第一排紙ローラ１１１、第二排紙ローラ７０１を通って排紙される。その結果、原稿束は図１１のように排紙される。
【００２５】
Ａ４やレターサイズのように原稿の搬送方向の長さが短い原稿を読み取る時の装置の状態を示した図が図１０である。原稿５０１がトレイ１０１に置かれて、分離・給紙搬送・原稿の搬送方向のサイズ検知・原稿の読み取りをするまでは上述のとおりである。原稿の搬送方向のサイズが短い場合には、図示しない排紙ローラ位置制御装置によって第二排紙ローラ７０１が原稿搬送方向に対して下流側に動く。そして、読み取りが終了した原稿は、原稿搬送方向の長さが長い原稿よりも下流側に位置した第二排紙ローラ７０１によって排紙されることによって、従来のＡＤＦよりも下流側に排紙される。その結果、原稿束は図１２のように排紙される。
【００２６】
図１１と図１２の原稿先端の位置を比べるとその位置は一致しており、原稿束の排紙位置が異なり、使い勝手が悪いという欠点は改善されている。
【００２７】
原稿搬送方向のサイズが異なる原稿束を読み取った場合、原稿の搬送方向のサイズを検知して第二排紙ローラ７０１の位置を上述のように変更することによって、排紙された原稿は図１３のようになる。排紙された原稿の端は原稿読み取り前と変わっておらず、改善が認められる。
【００２８】
原稿搬送方向のサイズが異なる原稿束を読み取った場合は、搬送する原稿の搬送方向のサイズが変わるたびに位置を変更することができる第二排紙ローラ７０１の位置を変えなければならない。第二排紙ローラ７０１の位置を変える際に、原稿を引っぱってしまったり、逆にたわましてしまったりすることがないようにしなければならない。そのためには、原則的に位置を固定された第一排紙ローラ１１１の紙搬送速度と移動可能な第二排紙ローラ７０１の原稿自動給紙装置の静止部に対する相対紙搬送速度（第二排紙ローラ７０１の移動速度と第二排紙ローラ７０１の紙搬送速度を加味した紙搬送速度）を一致させておく必要がある。
【００２９】
前記速度の条件を満たしている限りにおいては、移動可能な第二排紙ローラ７０１は自由に動かすことができる。しかし、本発明の目的とする、排紙原稿の先端揃えを実現するためには、前記速度の条件に加えて位置を動かせる排紙ローラは、原稿を駆動している最中に所定の位置に移動を完了していることが必要である。
【００３０】
ここまでの説明は、原稿の搬送方向の長さが長い／短いで区別していたが、２種類に限ったことではなく、例えば、考えられる用紙サイズすべてに応じて第二排紙ローラ７０１の位置を制御すれば、どのようなサイズの原稿に対しても本発明の目的は達成されることになる。
【００３１】
［その他の実施例］
図１４〜１８は本発明の他の実施例を示した図である。読み取り原稿の搬送方向の長さや、原稿や装置の状態が違うだけで、ＡＤＦ自体の構造は同じものである。前述したＡＤＦに対して、原稿搬送路を切り替えるフラッパ８０１、原稿を搬送可能な第二排紙ローラ８０２が新たに追加されている。
【００３２】
例えばＡ３サイズやレジャーサイズのように原稿の搬送方向の長さが長い原稿を読み取るときの装置の状態を示した図が図１４である。以下、原稿の動きとともに装置の動作を説明するが、前述の図と重複する場合にはそちらを参照する。
【００３３】
原稿トレイ１０１に載置された原稿５０１は、分離ピックアップ部１０３によって原稿束の一番上の一枚を原稿搬送路内に導く（図４ａ）。分離後センサ１０４は原稿の先端を感知し、原稿の搬送がすすみ、分離後センサが原稿の後端を検知することによって原稿の搬送方向の長さを知ることができる。本実施例では分離後センサを用いたが、読取前センサ１０７のような同種の別の位置に設置されているセンサを用いても良いし、搬送モータの回転から換算しても良く、本例に限ったものではない。原稿の長さを検知すると図示しないフラッパ８０１を制御するフラッパ制御装置によって原稿を排紙トレイ１１２側に導く。読み取りが終了した原稿は、第一排紙ローラ１１１を通り、フラッパ８０１によって向きを排紙トレイ側に変えられ、最後は自重及びそのとき原稿が持っている速度に依存してトレイに排紙される。その結果、原稿束は図１６のように排紙される。
【００３４】
Ａ４やレターサイズのように原稿の搬送方向の長さが短い原稿を読み取る時の装置の状態を示した図が図１５である。原稿５０１がトレイ１０１に置かれて、分離・給紙搬送・原稿の搬送方向のサイズ検知・原稿の読み取りをするまでは上述のとおりである。原稿の搬送方向のサイズが短い場合には、図示しないフラッパ制御装置によってフラッパ８０１が向きを変えて原稿が第二排紙ローラ８０２の方向に搬送されるようになる。そして、従来のＡＤＦよりも下流側に排紙される。その結果、原稿束は図１７のように排紙される。
【００３５】
図１６と図１７の原稿の位置を比べるとその位置は一致しており、原稿束の排紙位置が異なり、使い勝手が悪いという欠点は改善されている。
【００３６】
原稿搬送方向のサイズが異なる原稿束を読み取った場合、原稿の搬送方向のサイズを検知してフラッパ８０１の方向を上述のように制御することによって、排紙された原稿は図１８のようになる。排紙された原稿の端は原稿読み取り前と変わっておらず、改善が認められる。
【００３７】
これまでの説明は、原稿の搬送方向の長さが長い／短いで区別していたが、２種類に限ったことではなく、フラッパや排紙ローラの数を多くすることによってさらに多くのサイズの原稿に対応できるようになる。
【図面の簡単な説明】
【００３８】
【図１】画像読取装置の動作例を示す図
【図２】原稿自動給紙装置（ＡＤＦ）がついた画像読取装置を示す図
【図３】原稿を動かして画像を読み取る方式示す図
【図４】原稿を動かして画像を読み取る方式示す図
【図５】ＡＤＦ断面図
【図６】従来例：原稿搬送方向の長さが短い原稿を搬送した場合示す図
【図７】従来例：原稿搬送方向の長さが長い原稿を搬送した場合示す図
【図８】従来例：原稿搬送方向のサイズが異なる原稿を搬送した場合示す図
【図９】実施例１：原稿搬送方向の長さが長い原稿を搬送する場合示す図
【図１０】実施例１：原稿搬送方向の長さが短い原稿を搬送する場合示す図
【図１１】実施例１：原稿搬送方向の長さが長い原稿を搬送した結果示す図
【図１２】実施例１：原稿搬送方向の長さが短い原稿を搬送した結果示す図
【図１３】実施例１：原稿搬送方向のサイズが異なる原稿を搬送した結果示す図
【図１４】実施例２：原稿搬送方向の長さが長い原稿を搬送する場合示す図
【図１５】実施例２：原稿搬送方向の長さが短い原稿を搬送する場合示す図
【図１６】実施例２：原稿搬送方向の長さが長い原稿を搬送した結果示す図
【図１７】実施例２：原稿搬送方向の長さが短い原稿を搬送した結果示す図
【図１８】実施例２：原稿搬送方向のサイズが異なる原稿を搬送した結果示す図
【符号の説明】
【００３９】
１０１  原稿載置トレイ
１０２  原稿サイド規制板
１０３  ピックアップ分離ローラ
１０４  分離後センサ
１０５  搬送ローラ
１０６  搬送ローラ
１０７  読取前センサ
１０８  プランテンローラ（原稿読み取り箇所）
１０９  搬送ローラ
１１０  排紙センサ
１１１  第一排紙ローラ
１１２  排紙トレイ
２０１  排紙ローラユニット位置制御装置
５０１  原稿
５０２  画像読取装置
５０３  第２、第３ミラーユニット
５０４  照明ランプ・第１ミラーユニット
５０５  原稿自動給紙装置（ＡＤＦ）
５０６  一次元読み取り素子（ＣＣＤセンサ）
５０７  原稿搬送方向
５０８  主走査方向
５０９  照明ランプ
７０１  第二排紙ローラ
８０１  フラッパ
【図１】
2005324949.tif 000003
【図２】
2005324949.tif 000004
【図３】
2005324949.tif 000005
【図４】
2005324949.tif 000006
【図５】
2005324949.tif 000007
【図６】
2005324949.tif 000008
【図７】
2005324949.tif 000009
【図８】
2005324949.tif 000010
【図９】
2005324949.tif 000011
【図１０】
2005324949.tif 000012
【図１１】
2005324949.tif 000013
【図１２】
2005324949.tif 000014
【図１３】
2005324949.tif 000015
【図１４】
2005324949.tif 000016
【図１５】
2005324949.tif 000017
【図１６】
2005324949.tif 000018
【図１７】
2005324949.tif 000019
【図１８】
2005324949.tif 000020